(57)【要約】【課題】本考案は人工肛門や人工膀胱を付けた患者が使用するのに便利であり、更に、一般健常者が使用しても従来と殆ど変わらずに使用できる洋式便器の便座を提供することを目的とする。【解決手段】少なくとも便座本体１に設けた穴２を略ひょうたん形状と成し、且つ、そのひょうたんの先端を奥側に位置させると共に穴２の奥行寸法を既存のものよりも長くしたものと成す。また前記便座本体１の奥側表面に湾曲部３を設けると共に穴２に沿って面取部４を設けると良く、前記穴２を、前側に大きな円形部21と、奥側に円形部21よりも小さな長円形部22と、該長円形部22と円形部21を滑らかに接続する円弧部分23とから成したものとしても良い。【選択図】図１
0003155983.tif 000002
【実用新案登録請求の範囲】
【請求項１】
便器（５）の上に持上げ可能に取付ける便座に於いて、少なくとも便座本体（１）に設けた穴（２）を略ひょうたん形状と成し、且つ、そのひょうたんの先端を奥側に位置させると共に前記穴（２）の奥行寸法を既存のものよりも長くしたことを特徴とする洋式便器の便座。
【請求項２】
前記便座本体（１）の奥側表面に湾曲部（３）が設けられると共に前記穴（２）に沿って面取部（４）が設けられた請求項１記載の洋式便器の便座。
【請求項３】
前記穴（２）が、前側に大きな円形部（21）と、奥側に前記円形部（21）よりも小さな長円形部（22）と、該長円形部（22）と前記円形部（21）を滑らかに接続する円弧部分（23）とから成された請求項１記載の洋式便器の便座。
【考案の詳細な説明】
【技術分野】
【０００１】
本考案は、自力で排便や排尿が行えず、人工肛門や人工膀胱を付けた大腸がんや膀胱がんの患者が使用すると便利な洋式便器の便座に関する。
【背景技術】
【０００２】
一般に人工肛門や人工膀胱を付けた大腸がんや膀胱がんの患者が洋式便器を使用する場合、腹部のストーマバック（パウチ）に溜めた中身を便座の穴に向けて捨てていた。この時、患者は便器の前側に立ち、中腰になってストーマバックを開け、中身が空になった後、腹部のストーマ周囲が、皮膚炎症による痒みや痛みを生じないようにその周囲をきれいに消毒している。
【０００３】
しかしながら、従来の洋式便器の便座の穴形状は、図１に示す点線のように前側が狭く後側が広くなる玉子状のものが多く、略円形に近いものであるため、患者が便器の前側に立ち、中腰になってストーマバックの中身を便座の穴に向けて捨てると、便座の表面に便や尿が付着し易く、不潔であると共にその都度きれいに拭取らなければならず、人工肛門や人工膀胱を付けた患者が用を済ますのに、時間が掛っているのが現状である。
【０００４】
このため、患者は立たずに、通常の使用時と同じように便座に座り、ストーマバックを開け、中身を便座の穴に向けて捨てる場合もあった。この時には、便座の穴の前側を広く開けるために、便座に座る位置を通常の位置よりも奥側に座らなければならず、極めて座りにくいものであった。又、便座に奥行きがない場合には座ることができず、腰を浮かせながらストーマバックを開けて中身を捨てなければならず、非常に不便であった。
【０００５】
他の穴形状を有した便座としては、幅の狭い長穴（段付き略四角形状）のものが、特開２００９−１１２７５１「痔患者用便座」で提案されている。この構造は専用便座の中央部に長穴を設け、専用便座の後方部と左右サイドに立上げ部を設け、専用便座の底部に脚部を設けたものであり、使用時には、従来の便座を上に上げた後、便器の上に専用便座を置き、使用後はそれを取外すものであった。この目的は痔患者が便座に座る際、長穴を狭くし、肛門を小さくして排便することで、出血痛が和らぎ、苦痛を緩和することである。
【０００６】
しかしながら、特開２００９−１１２７５１は、人工肛門や人工膀胱を付けた患者が使用すると、長穴が狭いため、人工肛門や人工膀胱を付けた大腸がんや膀胱がんの患者がストーマバックを開けて中身を上手に捨てることができず、事実上使用できないものであった。しかも一般健常者が使用しても、非常に使用しにくいものであった。
【先行技術文献】
【特許文献】
【０００７】
【特許文献１】特開２００９−１１２７５１号公報
【考案の概要】
【考案が解決しようとする課題】
【０００８】
本考案は人工肛門や人工膀胱を付けた患者が使用するのに便利であり、更に、一般健常者が使用しても従来と殆ど変わらずに使用できる洋式便器の便座を提供することを目的とする。
【課題を解決するための手段】
【０００９】
本考案は上記現状に鑑みて成されたものであり、つまり、少なくとも便座本体に設けた穴を略ひょうたん形状と成し、且つ、そのひょうたんの先端を奥側に位置させると共に穴の奥行寸法を既存のものよりも長くしたものと成す。また前記便座本体の奥側表面に湾曲部を設けると共に穴に沿って面取部を設けると良く、前記穴を、前側に大きな円形部と、奥側に円形部よりも小さな長円形部と、該長円形部と円形部を滑らかに接続する円弧部分とから成したものとしても良い。尚、本考案で言う「奥行寸法を既存のものよりも長くした」とは、一般的に多く使用されている洋式便器の便座の穴よりも、穴の奥行寸法（穴の全長）を長くしたことを指すものとする。
【考案の効果】
【００１０】
請求項１のように少なくとも便座本体（１）に設けた穴（２）を略ひょうたん形状と成し、且つ、そのひょうたんの先端を奥側に位置させると共に穴（２）の奥行寸法を既存のものよりも長くすることにより、人工肛門や人工膀胱を付けた患者が使用する際に奥側で安定して座りながら排便や排尿処理が行える便利なものとなり、更に一般健常者が使用しても従来と殆ど変わらない状態で使用できるものとなる。このため、本考案品を特に学校のトイレや病院などの公共施設の便器（５）に取付ければ、患者が違和感なく使用でき、便利なものとなる。また本考案品を家庭で使用すれば重宝なものとなる。
【００１１】
請求項２のように便座本体（１）の奥側表面に湾曲部（２）を設けると、便座本体（１）の奥側に座っても安定して且つ心地良く座ることが出来るものとなる。又、穴（２）に沿って面取部（４）を設けることにより、便座本体（１）の前側に座っても奥側に座っても安定して且つ心地良く座ることが出来るものとなる。
【００１２】
請求項３に示すように穴（２）として、前側に大きな円形部（21）と、奥側に円形部（21）よりも小さな長円形部（22）と、該長円形部（22）と円形部（21）を滑らかに接続する円弧部分（23）とから成すことにより、請求項１と同様の効果が得られる。
【図面の簡単な説明】
【００１３】
【図１】本考案の実施形態を示す斜視図である。
【図２】図１のＡ−Ａ断面図である。
【図３】図１のＢ−Ｂ断面図である。
【図４】図１のＣ−Ｃ断面図である。
【図５】図１のＤ−Ｄ断面図である。
【図６】本考案の作用を示す説明図である。
【図７】本考案品が設けられた洋式便器を示す説明図である。
【考案を実施するための形態】
【００１４】
本考案は家庭用便器に取付け、人工肛門や人工膀胱を付けた患者や一般健常者が使用できるという目的を、少なくとも便座本体（１）に設けた穴（２）を略ひょうたん形状と成し、且つ、そのひょうたんの先端を奥側に位置させると共に穴（２）の奥行寸法を既存のものよりも長くすることによって実現した。
【実施例１】
【００１５】
図１は本考案の実施形態を示す図であり、これに基づき説明する。（１）は洋式の一般的な便器（５）の上に持上げ可能に取付ける便座本体であり、該便座本体（１）の厚さは、前半分にテーパーを付けて前側が薄くなるように形成すると良い。また前記便座本体（１）の奥側の幅が前側の幅よりも狭く形成させると、奥側に座った際に座り易いものとなる。
【００１６】
（２）は便座本体（１）に設けた略ひょうたん形状の穴であり、該穴（２）はひょうたんの先端を奥側に位置させると共にその奥行寸法を既存のものよりも長く形成している。また前記穴（２）としては、前側に大きな円形部（21）と、奥側に前記円形部（21）よりも小さな長円形部（22）と、該長円形部（22）と円形部（21）を滑らかに接続する円弧部分（23）とから成すものとすれば良い。この時の目安としては、円形部（21）の直径が２５０mm前後、長円形部（22）の幅（直径）が１３０mm前後、穴（２）の全長（奥行寸法）が４４０mm前後とするのが好ましい。
【００１７】
（３）は便座本体（１）の奥側表面に設けた湾曲部であり、該湾曲部（３）は図２に示すように中央が凹むように湾曲されている。（４）は穴（２）に沿って設けた上反りの円弧状の面取部であり、該面取部（４）は座った際に臀部がフィットするように設けられている。尚、前記面取部（４）を上反りの円弧状にすると座り心地が極めて良くなるが、一般の湾曲しない面取部（４）としても良い。
【００１８】
次に本考案の使い方について説明する。予め本考案品を図７に示すように便器(５)の上に持上げて回動可能に取付けておく。先ず始めに人工肛門や人工膀胱を付けた患者が洋式便器を使用する場合について説明する。先ず蓋（６）を持上げ、便座本体（１）が便器(５)の上に載置された状態で、図６に示す点線のように便座本体（１）の奥側（右側）に座る。この時、便座本体（１）の奥側表面には湾曲部（３）が設けられていると共に穴（２）に沿って面取部（４）が設けられていると、本考案品は臀部が安定し極めて座り易いものとなる。便座本体（１）に腰掛けると、目の前には円形部（21）が設けられているので、患者は腹部に取付けたストーマバック（パウチ）を外し、その中身を円形部（21）に向けて捨てる。この時、従来の如き穴（２）が狭くなる心配がないため、便座本体（１）の表面に排便や排尿が付着することなく処理できるものとなり、便座本体（１）が清潔で、且つ、心地良く腰掛けられるものとなる。またストーマバックの中身を空にした後、便座本体（１）に腰掛けて安定した状態で患者が、ストーマの周囲をきれいに消毒することが出来ると共に医療用の消耗品等の交換も行えるものとなるのである。その後、身なりを整えて便座本体（１）から離れ、水を流せば良い。
【００１９】
次に健常者が使用する場合について説明する。上記同様に便座本体（１）が便器(５)の上に載置された状態で、図６に示す２点鎖線のように便座本体（１）の前側（通常位置）に座る。そして、従来通りの排便或いは排尿を行う。この時、便座本体（１）が多少長くなるが、前側を基準にして腰掛ければ、違和感なく座れ、且つ、スムーズに排便或いは排尿をすることができ、健常者も普通に使用出来るのである。
【符号の説明】
【００２０】
１  便座本体
２  穴
21  円形部
22  長円形部
23  円弧部分
３  湾曲部
４  面取部
５  便器
【図１】
0003155983.tif 000003
【図２】
0003155983.tif 000004
【図３】
0003155983.tif 000005
【図４】
0003155983.tif 000006
【図５】
0003155983.tif 000007
【図６】
0003155983.tif 000008
【図７】
0003155983.tif 000009